【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
ケージナットアセンブリを提供するために、第１の部分、第２の部分、及び少なくとも部分的に中を通って延びる開口を有したナット部材と係合可能なケージ部材であって、
ナット部材を閉じ込めるように構成されるとともにその中に形成された開口を有する本体を備え、前記開口は、ナット部材が前記ケージ部材によって概ね閉じ込められるときに、ナット部材の開口に接近することを可能にするように構成され、前記本体は、ベース部分及び少なくとも１つの壁部分を規定し、前記本体は、ナット部材の前記第２の部分が前記ベース部分及び前記少なくとも１つの壁部分のいずれとも接触しないように、ナット部材の前記第１の部分と係合するものとして構成されており、
前記本体は、３次元内で制限されたナット部材の移動範囲を与えるように構成され、前記本体は、前記本体によって与えられる制限されたナット部材の移動範囲内でナット部材の開口へ接近することを可能にするように構成されており、
前記本体は、前記ベース部分から延びると共にナット部材の前記第１の部分と係合する少なくとも１つのアーム部分を更に備え、前記少なくとも１つのアーム部分は、互いに対向して位置決めされた２つのアーム部分を備えており、
前記ベース部分は、長方形であって４隅を有し、前記アーム部分の一方は、前記ベース部分の前記隅の１つから延び、また前記アーム部分の他方は、前記ベース部分の前記隅の他の１つから延びている
ことを特徴とするケージ部材。
【請求項２】
前記対向するアーム部分は、それらの間に開口部を規定し、前記開口部は、前記２つのアーム部分によってナット部材の前記第１の部分が係合されたときに、前記開口部を通してナット部材を受け入れる大きさに形成されている請求項１に記載のケージ部材。
【請求項３】
前記アーム部分はそれぞれ、概ねＣ字状部分を有し、これらＣ字状部分は、互いに対向して位置決めされて前記開口部を規定する請求項２に記載のケージ部材。
【請求項４】
前記少なくとも１つのアーム部分は、柔軟な材料で形成されている請求項１に記載のケージ部材。
【請求項５】
前記２つのアーム部分は、前記ベース部分の対向する側面から延びている請求項１に記載のケージ部材。
【請求項６】
前記２つのアーム部分は、互いに独立して動くように構成されている請求項１に記載のケージ部材。
【請求項７】
ケージナットアセンブリを提供するために、第１の部分、第２の部分、及び少なくとも部分的に中を通って延びる開口を有したナット部材と係合可能なケージ部材であって、
ナット部材を閉じ込めるように構成されるとともにその中に形成された開口を有する本体を備え、前記開口は、ナット部材が前記ケージ部材によって概ね閉じ込められるときに、ナット部材の開口に接近することを可能にするように構成され、前記本体は、ベース部分及び少なくとも１つの壁部分を規定し、前記本体は、ナット部材の前記第２の部分が前記ベース部分及び前記少なくとも１つの壁部分のいずれとも接触しないように、ナット部材の前記第１の部分と係合するものとして構成されており、
前記本体は、３次元内で制限されたナット部材の移動範囲を与えるように構成され、前記本体は、前記本体によって与えられる制限されたナット部材の移動範囲内でナット部材の開口へ接近することを可能にするように構成されており、
前記本体は、前記ベース部分から延びると共にナット部材の前記第１の部分と係合する少なくとも１つのアーム部分を更に備え、
前記少なくとも１つの壁部分は、第１の壁部分と第２の壁部分とを備え、
前記少なくとも１つのアーム部分は移動可能であって、ナット部材の前記第２の部分が前記本体の前記ベース部分の上方で、前記本体の前記第１及び第２の壁部分の間に位置決めされることを可能にする
ことを特徴とするケージ部材。
【請求項８】
前記少なくとも１つのアーム部分は、互いに対向して位置決めされた２つのアーム部分を備える請求項７に記載のケージ部材。
【請求項９】
締結具を受け入れるように構成されたアセンブリであって、ナット部材と、ケージ部材とを備え、
ナット部材は、第１の部分、第２の部分、及び少なくとも部分的に中を通って延びる開口を有し、
ケージ部材は、ナット部材を閉じ込めるように構成されるとともにその中に形成された開口を有し、前記開口は、前記ナット部材が前記ケージ部材によって概ね閉じ込められるときに、前記ナット部材の前記開口に接近することを可能にするように構成され、前記ケージ部材は、ベース部分及び少なくとも１つの壁部分を規定し、前記ケージ部材は、ナット部材の前記第２の部分が前記ベース部分及び前記少なくとも１つの壁部分のいずれとも接触しないように、ナット部材の前記第１の部分と係合するものとして構成されており、
前記ケージ部材は、３次元内で制限されたナット部材の移動範囲を与えるように構成され、前記ケージ部材は、前記ケージ部材によって与えられる制限されたナット部材の移動範囲内でナット部材の開口へ接近することを可能にするように構成されており、
前記ケージ部材は、前記ベース部分から延びると共にナット部材の前記第１の部分と係合する少なくとも１つのアーム部分を更に備え、前記少なくとも１つのアーム部分は、互いに対向して位置決めされた２つのアーム部分を備えており、
前記ベース部分は、長方形であって４隅を有し、前記アーム部分の一方は、前記ベース部分の前記隅の１つから延び、また前記アーム部分の他方は、前記ベース部分の前記隅の他の１つから延びている
ことを特徴とするアセンブリ。
【請求項１０】
前記対向するアーム部分は、それらの間に開口部を規定し、前記開口部は、前記２つのアーム部分によってナット部材の前記第１の部分が係合されたときに、前記開口部を通してナット部材を受け入れる大きさに形成されている請求項９に記載のアセンブリ。
【請求項１１】
前記アーム部分はそれぞれ、概ねＣ字状部分を有し、これらＣ字状部分は、互いに対向して位置決めされて前記開口部を規定する請求項１０に記載のアセンブリ。
【請求項１２】
前記２つのアーム部分は、頂面を有し、前記ナット部材の前記第１の部分は、前記ナット部材の前記第２の部分が前記ベース部分及び前記少なくとも１つの壁部分のいずれとも接触しないように、前記２つのアーム部分の前記頂面上に位置決めされている請求項１０に記載のアセンブリ。
【請求項１３】
前記ナット部材の前記第１の部分は、そこから延びた突起を有し、前記突起は、前記２つのアーム部分の上面に対して位置決めされている請求項１２に記載のアセンブリ。
【請求項１４】
前記ケージ部材の前記ベース部分は、概ね平坦な上面を有し、前記２つのアーム部分の上面は、前記ケージ部材の前記ベース部分の前記上面と概ね平行に位置決めされている請求項１２に記載のアセンブリ。
【請求項１５】
前記ナット部材は、第１の板と、第２の板と、前記第１の板を前記第２の板に接続する部材とを有し、前記板のそれぞれは、上面及び下面を有し、前記部材は、前記第１の板の上面と前記第２の板の下面との間を延び、前記ナット板の前記開口は、前記第１の板、前記部材及び前記第２の板を通して延びる請求項９に記載のアセンブリ。
【請求項１６】
前記２つのアーム部分は、前記ベース部分の対向する側面から延びている請求項９に記載のアセンブリ。
【請求項１７】
前記２つのアーム部分は、互いに独立して動くように構成されている請求項９に記載のアセンブリ。
【請求項１８】
締結具を受け入れるように構成されたアセンブリであって、ナット部材と、ケージ部材とを備え、
ナット部材は、第１の部分、第２の部分、及び少なくとも部分的に中を通って延びる開口を有し、
ケージ部材は、ナット部材を閉じ込めるように構成されるとともにその中に形成された開口を有し、前記開口は、前記ナット部材が前記ケージ部材によって概ね閉じ込められるときに、前記ナット部材の前記開口に接近することを可能にするように構成され、前記ケージ部材は、ベース部分及び少なくとも１つの壁部分を規定し、前記ケージ部材は、ナット部材の前記第２の部分が前記ベース部分及び前記少なくとも１つの壁部分のいずれとも接触しないように、ナット部材の前記第１の部分と係合するものとして構成されており、
前記ケージ部材は、３次元内で制限されたナット部材の移動範囲を与えるように構成され、前記ケージ部材は、前記ケージ部材によって与えられる制限されたナット部材の移動範囲内でナット部材の開口へ接近することを可能にするように構成されており、
前記ケージ部材は、前記ベース部分から延びると共にナット部材の前記第１の部分と係合する少なくとも１つのアーム部分を更に備え、
前記少なくとも１つの壁部分は、第１の壁部分と第２の壁部分とを備え、
前記少なくとも１つのアーム部分は移動可能であって、ナット部材の前記第２の部分が前記ケージ部材の前記ベース部分の上方で、前記ケージ部材の前記第１及び第２の壁部分の間に位置決めされることを可能にする
ことを特徴とするアセンブリ。
【請求項１９】
前記少なくとも１つのアーム部分は、互いに対向して位置決めされた２つのアーム部分を備える請求項１８に記載のアセンブリ。
【請求項２０】
前記少なくとも１つのアーム部分は、柔軟な材料で形成されている請求項１８に記載のアセンブリ。
【請求項２１】
締結具を受け入れるように構成されたアセンブリであって、ナット部材と、ケージ部材とを備え、
ナット部材は、第１の部分、第２の部分、及び少なくとも部分的に中を通って延びる開口を有し、
ケージ部材は、ナット部材を閉じ込めるように構成されるとともにその中に形成された開口を有し、前記開口は、前記ナット部材が前記ケージ部材によって概ね閉じ込められるときに、前記ナット部材の前記開口に接近することを可能にするように構成され、前記ケージ部材は、ベース部分及び少なくとも１つの壁部分を規定し、前記ケージ部材は、ナット部材の前記第２の部分が前記ベース部分及び前記少なくとも１つの壁部分のいずれとも接触しないように、ナット部材の前記第１の部分と係合するものとして構成されており、
前記ケージ部材は、少なくとも１次元内で制限されたナット部材の移動範囲を与えるように構成され、前記ケージ部材は、前記ケージ部材によって与えられる制限されたナット部材の移動範囲内でナット部材の開口へ接近することを可能にするように構成されており、
前記ケージ部材は、前記ベース部分から延びると共にナット部材の前記第１の部分と係合する少なくとも１つのアーム部分を更に備え、前記少なくとも１つのアーム部分は、互いに対向して位置決めされた２つのアーム部分を備えており、
前記ベース部分は、長方形であって４隅を有し、前記アーム部分の一方は、前記ベース部分の前記隅の１つから延び、また前記アーム部分の他方は、前記ベース部分の前記隅の他の１つから延びており、
前記対向するアーム部分は、それらの間に開口部を規定し、前記開口部は、前記２つのアーム部分によってナット部材の前記第１の部分が係合されたときに、前記開口部を通してナット部材を受け入れる大きさに形成されており、
前記２つのアーム部分は、頂面を有し、前記ナット部材の前記第１の部分は、前記ナット部材の前記第２の部分が前記ベース部分及び前記少なくとも１つの壁部分のいずれとも接触しないように、前記２つのアーム部分の前記頂面上に位置決めされている
ことを特徴とするアセンブリ。
【請求項２２】
前記ナット部材の前記第１の部分は、そこから延びた突起を有し、前記突起は、前記２つのアーム部分の上面に対して位置決めされている請求項２１に記載のアセンブリ。
【請求項２３】
前記ケージ部材の前記ベース部分は、概ね平坦な上面を有し、前記２つのアーム部分の上面は、前記ケージ部材の前記ベース部分の前記上面と概ね平行に位置決めされている請求項２１に記載のアセンブリ。
【請求項２４】
締結具を受け入れるように構成されたアセンブリであって、ナット部材と、ケージ部材とを備え、
ナット部材は、第１の部分、第２の部分、及び少なくとも部分的に中を通って延びる開口を有し、前記ナット部材は、第１の板と、第２の板と、前記第１の板を前記第２の板に接続する部材とを有し、前記板のそれぞれは、上面及び下面を有し、前記部材は、前記第１の板の上面と前記第２の板の下面との間を延び、前記ナット板の前記開口は、前記第１の板、前記部材及び前記第２の板を通して延びており、
ケージ部材は、ナット部材を閉じ込めるように構成されるとともにその中に形成された開口を有し、前記開口は、前記ナット部材が前記ケージ部材によって概ね閉じ込められるときに、前記ナット部材の前記開口に接近することを可能にするように構成され、前記ケージ部材は、ベース部分及び少なくとも１つの壁部分を規定し、前記ケージ部材は、ナット部材の前記第２の部分が前記ベース部分及び前記少なくとも１つの壁部分のいずれとも接触しないように、ナット部材の前記第１の部分と係合するものとして構成されており、
前記ケージ部材は、少なくとも１次元内で制限されたナット部材の移動範囲を与えるように構成され、前記ケージ部材は、前記ケージ部材によって与えられる制限されたナット部材の移動範囲内でナット部材の開口へ接近することを可能にするように構成されており、
前記ケージ部材は、前記ベース部分から延びると共にナット部材の前記第１の部分と係合する少なくとも１つのアーム部分を更に備え、前記少なくとも１つのアーム部分は、互いに対向して位置決めされた２つのアーム部分を備えており、
前記ベース部分は、長方形であって４隅を有し、前記アーム部分の一方は、前記ベース部分の前記隅の１つから延び、また前記アーム部分の他方は、前記ベース部分の前記隅の他の１つから延びている
ことを特徴とするアセンブリ。
【請求項２５】
ケージナットアセンブリを提供するために、第１の部分、第２の部分、及び少なくとも部分的に中を通って延びる開口を有したナット部材と係合可能なケージ部材であって、
ナット部材を閉じ込めるように構成されるとともにその中に形成された開口を有する本体を備え、前記開口は、ナット部材が前記ケージ部材によって概ね閉じ込められるときに、ナット部材の開口に接近することを可能にするように構成され、前記本体は、ベース部分及び少なくとも１つの壁部分を規定し、前記本体は、ナット部材の前記第２の部分が前記ベース部分及び前記少なくとも１つの壁部分のいずれとも接触しないように、ナット部材の前記第１の部分と係合するものとして構成されており、
前記本体は、３次元内で制限されたナット部材の移動範囲を与えるように構成され、前記本体は、前記本体によって与えられる制限されたナット部材の移動範囲内でナット部材の開口へ接近することを可能にするように構成されており、
前記本体は、前記ベース部分から延びると共にナット部材の前記第１の部分と係合する少なくとも１つのアーム部分を更に備え、前記本体は、前記ベース部分から直接延びる少なくとも１つのアーム部分を更に備える
ことを特徴とするケージ部材。
【請求項２６】
締結具を受け入れるように構成されたアセンブリであって、ナット部材と、ケージ部材とを備え、
ナット部材は、第１の部分、第２の部分、及び少なくとも部分的に中を通って延びる開口を有し、
ケージ部材は、ナット部材を閉じ込めるように構成されるとともにその中に形成された開口を有し、前記開口は、前記ナット部材が前記ケージ部材によって概ね閉じ込められるときに、前記ナット部材の前記開口に接近することを可能にするように構成され、前記ケージ部材は、ベース部分及び少なくとも１つの壁部分を規定し、前記ケージ部材は、ナット部材の前記第２の部分が前記ベース部分及び前記少なくとも１つの壁部分のいずれとも接触しないように、ナット部材の前記第１の部分と係合するものとして構成されており、
前記ケージ部材は、３次元内で制限されたナット部材の移動範囲を与えるように構成され、前記ケージ部材は、前記ケージ部材によって与えられる制限されたナット部材の移動範囲内でナット部材の開口へ接近することを可能にするように構成されており、
前記ケージ部材は、前記ベース部分から延びると共にナット部材の前記第１の部分と係合する少なくとも１つのアーム部分を更に備え、前記ケージ部材は、前記ベース部分から直接延びる少なくとも１つのアーム部分を更に備える
ことを特徴とするアセンブリ。
【請求項２７】
ケージナットアセンブリを提供するために、締結具を受け入れるように少なくとも部分的に中を通って延びる開口を有したナット部材と係合可能なケージ部材であって、
ナット部材を閉じ込めるように構成されるとともにその中に形成された開口を有する本体を備え、前記開口は、ナット部材が前記ケージ部材によって概ね閉じ込められるときに、ナット部材の開口に接近することを可能にするように構成され、前記本体は、ベース部分を規定し、前記本体は、ナット部材が前記ベース部分から離れて吊るされるように、ナット部材と係合するものとして構成されており、
前記本体は、３次元内で制限されたナット部材の移動範囲を与えるように構成され、前記本体は、前記本体によって与えられる制限されたナット部材の移動範囲内でナット部材の開口へ接近することを可能にするように構成されており、
前記本体は、前記ベース部分から延びると共に、前記締結具がナット部材の前記開口に受け入れられる前にナット部材をベース部分から離して吊るすことを提供する少なくとも１つのアーム部分を更に備え、前記少なくとも１つのアーム部分は、前記ベース部分から直接延びている
ことを特徴とするケージ部材。
【請求項２８】
締結具を受け入れるように構成されたアセンブリであって、ナット部材と、ケージ部材とを備え、
ナット部材は、締結具を受け入れるように少なくとも部分的に中を通って延びる開口を有し、
ケージ部材は、ナット部材を閉じ込めるように構成されるとともにその中に形成された開口を有し、前記開口は、前記ナット部材が前記ケージ部材によって概ね閉じ込められるときに、前記ナット部材の前記開口に接近することを可能にするように構成され、前記ケージ部材は、ベース部分と本体部分とを規定し、前記本体は、ナット部材が前記ベース部分から離れて吊るされるように、ナット部材と係合するものとして構成されており、
前記ケージ部材は、３次元内で制限されたナット部材の移動範囲を与えるように構成され、前記ケージ部材は、前記ケージ部材によって与えられる制限されたナット部材の移動範囲内でナット部材の開口へ接近することを可能にするように構成されており、
前記ケージ部材は、前記ベース部分から延びると共に、前記締結具がナット部材の前記開口に受け入れられる前にナット部材をベース部分から離して吊るすことを提供する少なくとも１つのアーム部分を更に備え、前記少なくとも１つのアーム部分は、前記ベース部分から直接延びている
ことを特徴とするアセンブリ。